Podtech/llm-jp-corpus-v4-ja_patent huggingface dataset:
(57)【要約】【課題】高速回転化による発熱を抑制して軸受の耐久性を損ねることなく、軸受回転トルク増大を抑制した駆動装置を提供する。【解決手段】回転軸と前記回転軸を支持する軸受を縦型配置に備える駆動装置であって、前記軸受の軸方向下方より軸受内部に対して潤滑剤を噴射する給油ノズルと、前記軸受軸方向上方に前記軸受内に給油された潤滑剤を排出する排出穴と、を設けた給排油装置を備え、前記軸受の軸方向上面より保持器端部を突出させるとともに、前記保持器端部に傾斜面を設ける。【選択図】図１
2015081620.tif 000002
【特許請求の範囲】
【請求項１】
内輪と、前記内輪に同心円状に設けた外輪と、前記内輪と前記外輪間にあって前記内輪と前記外輪とを相対回転させる複数の転動体と、前記内輪と前記外輪間にあって前記複数の転動体を等間隔に保持する保持器とを備えた軸受と、回転軸と前記回転軸を支持する前記軸受を縦型配置に備えた駆動装置であって、前記軸受の軸方向下方より軸受内部に対して潤滑剤を噴射する給油ノズルと、前記軸受軸方向上方に前記軸受内に給油された潤滑剤を排出する排出穴とを設けた給排油装置を備え、前記軸受の軸方向上面より前記保持器端部を突出させるとともに、前記保持器端部に傾斜面を設けていることを特徴とする駆動装置。
【発明の詳細な説明】
【技術分野】
【０００１】
本発明は、ガスタービンエンジンや非常用排水ポンプなどの産業用駆動装置に関し、特に回転軸及び回転軸を支持している転がり軸受が、縦型に配置されている産業用駆動装置に関するものである。
【背景技術】
【０００２】
従来から、縦型配置のガスタービンエンジン、非常用排水ポンプなどの産業用駆動装置（以下、駆動装置と称する。）においては、高効率化、高出力化の要求から、タービン軸やポンプ軸などの回転軸の高速回転化が求められていた。しかしながら高速回転化によって回転軸を支持する軸受の発熱の問題が重要な課題となっていた。これを解決する手段として、例えば図２に示す特許文献１においては、軸受２０の潤滑方法にオイル潤滑方式を採用した技術がある。これは、給油装置４０に設けた給油ノズル４２から軸受の内輪２１外周面、転動体２４及び外輪２２内周面の軸受の摺動面に対して潤滑剤を噴射する。軸受の摺動面で適宜潤滑した後、外輪２２に設けた排油溝２２ａへ潤滑剤を排出する構造であるため、図示しない軸の高速回転による軸受の攪拌抵抗による過度の発熱を抑制している。
【先行技術文献】
【特許文献】
【０００３】
【特許文献１】特開２００５−１８０６６９号公報
【発明の概要】
【発明が解決しようとする課題】
【０００４】
しかしながら、特許文献１の構造を採用した縦型配置の駆動装置においては、装置内の他部品によるオイルミストが回転軸を支持する軸受などに上方から降り注ぎ、軸受上にオイルが溜まる。このオイル溜まりが軸受回転の攪拌抵抗及び発熱源となり、軸受の耐久性に影響するとともに、軸受の回転トルクが増大する懸念があった。
【０００５】
本発明は、上述した課題に鑑みてなされたものであり、その目的は、高速回転化による発熱を抑制して軸受の耐久性を損ねることなく、軸受回転トルク増大を抑制した駆動装置を提供することにある。
【課題を解決するための手段】
【０００６】
そこで上記の課題を解決するために、本発明は、内輪と、前記内輪に同心円状に設けた外輪と、前記内輪と前記外輪間にあって前記内輪と前記外輪とを相対回転させる複数の転動体と、前記内輪と前記外輪間にあって前記複数の転動体を等間隔に保持する保持器とを備えた軸受と、回転軸と前記回転軸を支持する前記軸受を縦型配置に備えた駆動装置であって、前記軸受の軸方向下方より軸受内部に対して潤滑剤を噴射する給油ノズルと、前記軸受軸方向上方に前記軸受内に給油された潤滑剤を排出する排出穴とを設けた給排油装置を備え、前記軸受の軸方向上面より前記保持器端部を突出させるとともに、前記保持器端部に傾斜面を設けていることを特徴とする。
【発明の効果】
【０００７】
本発明の駆動装置によれば、軸受に給排油装置を備えたので軸受の高速化に際しても、発熱を抑制でき、軸受の耐久性を確保できる。また、前記軸受の軸方向上面より前記保持器端部を突出させるとともに、前記保持器端部に内輪側から外輪側へ向かうにつれて軸方向上方に向かって傾斜する傾斜面を設けたことにより、潤滑剤過多による軸受回転トルクの増大と軸受の発熱を抑制することができる。
【図面の簡単な説明】
【０００８】
【図１】本発明に係る駆動装置の軸受周辺図である。
【図２】従来の軸受の潤滑構造を示す図である。
【発明を実施するための形態】
【０００９】
以下、本発明の実施形態に係る駆動装置について図面を参照しながら説明する。
【００１０】
図１に示すように、ガスタービンエンジンや非常用排水ポンプなどの駆動装置１の回転軸周辺は、回転軸２が軸受３を介して駆動装置１のハウジング内に縦型に配置されている。
【００１１】
前記軸受３は、外輪３ａと、内輪３ｂと、前記外輪と前記内輪間にあって前記外輪と前記内輪とを相対回転可能にさせる複数の転動体３ｃと、前記転動体を保持する保持器３ｄと、を備えている。また、前記軸受３の軸方向下方には、前記転動体３ｃに潤滑剤を供給する給油ノズル４が設けられ、前記軸受３の軸方向上方には、軸受３に供給された潤滑剤を排出させる排出穴５が設けられている。
【００１２】
さらに、前記軸受の軸方向上面より前記保持器３ｄの端部を突出させるとともに、前記保持器３ｄの端部に内輪側から外輪側へ向かうにつれて軸受軸方向上方に向かって傾斜する傾斜面３ｅを設けられている。この構成により、軸受軸方向上方より降り注ぐ駆動装置１の他部品に起因するオイルミストを、内輪の遠心力により前記排出穴５へ振り飛ばすことができる。
【００１３】
また、軸受３の内部へ潤滑油を供給する給油ノズル４を、前記保持器の傾斜部３ｅとは軸受３を挟んで逆側である軸方向下方側に配したので、軸受３に対して適量の潤滑剤を供給できるとともに、給油ノズル４より軸受内部へ供給された潤滑剤を保持器３ｄの傾斜面３ｅの遠心力によって効率的に排出穴へ導くことができる。
【００１４】
以上、本発明の駆動装置の構造について詳細に説明したが、本発明は、以上の例には限定されず、本発明の要旨を逸脱しない範囲において、各種の改良や変形を行ってもよいのはもちろんである。
【符号の説明】
【００１５】
１…駆動装置
２…回転軸
３…軸受
３ｄ…保持器
４…給油ノズル
５…排出穴
【図１】
2015081620.tif 000003
【図２】
2015081620.tif 000004
(57)【要約】【課題】これからの建造物に於ける耐久性は１００年住宅や、地震、水害等にも見られるように、耐震、耐風、耐水等耐久性が広く要求されている。耐霜、耐液状化、耐洪水等々建造物の基礎に関する問題も多い。【解決手段】本発明は建造物の基礎に用いる杭に於ける工夫で、鋼材パイプ杭（親杭）の中に枝杭を用いて、その枝杭を親杭の壁面から外に打ち出し、木の根状に枝杭を張り出させ、その枝杭から繋設させてＪ型に加工した鉄筋を用いて嵌設した親杭内に柔練コンクリート注入して固設して、基礎鉄筋に繋設することで、耐重、耐霜、耐液状化等々に強く働く。【選択図】図１
2015101952.tif 000002
【特許請求の範囲】
【請求項１】
本発明の「根張り杭」は親杭である鋼材丸パイプ杭の中に復数の均一に整え加工した枝鉄筋枝を用い、それを束ねる芯材にネジ切り鋼材棒を用い、その頭頂部外面に切り込み加工を設した復数の枝鉄筋杭をワイヤーロープでその芯材共々結束する。
親杭の太さと枝杭の多段造りには集束パイプを用い、その円周壁面には枝鉄筋杭穴が刻設されている。芯材のネジ切り鋼材棒に結束された枝杭の結束部直下の内側には、集束パイプに刻設の枝杭穴縁下辺壁板に嵌め込むための溝切り加工が設されており、芯材に結束した枝杭セットを集束パイプに插入し、枝杭貫通穴を通して切り込み溝を穴縁に嵌め込み枝杭装置の集束部を強固にし、更に集束パイプ枝杭刻設穴の穴巾両脇を上下に切り込みを入れ、使用時に上下に移動する枝鉄筋杭に対応する。更に枝杭繰り出しの為親杭内を殴打の際に多段組みの枝杭を同時に繰り出すためと、打激の衝激により装置が枝張り完結迄組識が保てるよう、各枝杭結束部上面には大輪座金を嵌めナット締めにした親杭と枝杭の繋設を強固にした「枝杭装置」
【請求項２】
肉厚の鋼材パイプ杭（親杭）の中に、枝杭を押し出す「枝杭装置」を内蔵し、その枝杭装置の嵌設と枝杭張り出しのための刻設穴が親杭壁面に必要数施され、その穴巾の左右上方に壁面を切り込み、使用時に上辺に移動して拡がる枝杭に対応し、枝杭装置を装着して、その刻設穴に嵌め込んだ枝杭の先端部を、その刻設穴縁上辺で、その枝杭貫通迄のビス止めで固設し、使用時に、この親杭が打ち込まれて後、丸太棒（鋼材丸棒でも可）を用いて、親杭内を打ち込み枝杭を押し出してから、繋設Ｊ鉄筋を復数用いて、親杭内に沈む枝杭に搦めて設置し、柔練コンクリートを插入して固設する。
枝杭と親杭と繋設Ｊ鉄筋の一体組みで固設した根張り杭は基礎に拡く強力に働く。枝杭装置を搭載した「根張り杭」
【発明の詳細な説明】
【技術分野】
【０００１】本発明は建造物等の基礎に於ける杭に関する。
【背景技術】
【０００２】類似する考察は多い。本発明は「枝杭装置」を用いた「根張り杭」である。
【発明が解決しようとする課題】
【０００３】これからの建造物に於ける耐久性は１００年住宅や、地震、水害等にも見られるように耐震、耐風、耐洪水等耐久性が拡く要求されている。
耐霜、耐液状化、耐洪水等々建造物の基礎に関する問題も多い。
【課題を解決するための手段】
【０００４】本発明の「根張り杭」は肉厚の鋼材を用いたパイプ杭（親杭）（１）の中に枝鉄筋杭（４）を内蔵した集束パイプ（３）を設け、その集束パイプの円周壁面に枝杭嵌設穴（９）が刻設され、その枝杭装置の中心には芯材として枝杭を結束するネジ切り鋼材棒（６）を用い、根張り杭として親杭の外に働く枝鉄筋杭（枝杭）は、その形状を必要数均一に整え、その頭部内面は芯材であるネジ切り鋼材棒の側面に馴染むよう平面に整え、その背面は結束のワイヤーロープ（１２）が喰い込む程の切り込みを設け、更に集束パイプの枝杭嵌設穴刻設箇所嵌め込み部位には、その嵌設形状に合わせた切り込みを設して、長さを同等にしてその先端は親杭嵌設時に合わせた傾斜を設けて均一にした枝杭を必要数芯材であるネジ切り鋼材棒の円周に同じ高さで設置し、その背面刻設溝を介してワイヤーロープで巻き込み、その一部は芯材をも巻き込みワイヤーロープの両端を止め具で締め、差少の動きを確認しておく。多段に枝杭を設ける場合には、下段より結束して終わり次第結束頭に大輪座金（５）を嵌めでナット（７）で締め付けてから上段の位置に移ることになる。
枝杭の芯材への結束が完成し集束パイプに嵌設するにあたり、集束パイプ壁面に刻設した枝杭貫通穴の穴巾に沿って上下に切り込みを入れて、その上辺に垂れる真中の穴巾板を上部（外側）に煽り穴巾を拡げて枝杭を通し易くし、各段全てを通した後に枝杭に設けた切り込み部を集束パイプ壁面の刻設穴下辺に嵌め込み、調整し、全体を親杭に插入するための形状にする。その時、芯材であるネジ切り鋼材棒の頭頂部と嵌設した集束パイプの頭頂部が平行になることが、後に殴打の際に枝杭の拡がり等に支障する。
【０００５】枝杭装置を装着するにあたり、親杭の壁面に枝杭貫穴（１０）を刻設するための位置決めをし必要数穴を空ける。多段枝杭の場合、各段間の寸法は「枝杭装置」と同じ寸法でありそれを守ることになる。
穴空け終了後、その穴巾の左右両側面に沿って上方に切り込みを設けて、その巾中に垂れる中板部を外側に煽り穴巾を拡げて枝枝の先端部を穴出し易くし更にその煽り反り出した中巾板をその親杭パイプ外面に沿って削り落として「枝杭装置」を嵌設し、枝杭装置の枝杭が親杭に刻設した貫通穴に顔出しして壁面と平面になったところで嵌設穴上辺の削り落とし部の中央部分にビス穴を設け、親杭と枝杭の貫通するビス（８）で固設し、個別に固設することで内蔵する「枝杭装置」は固定され、この「根張り杭」の使用時には、枝杭を繰り出す作業が残るため親杭の上辺開口部に損傷が起こらぬよう親杭キャップ（２）を用いて親杭を設置し、丸太棒（鋼材丸太棒でも可）で親杭内を打ち込むことで枝杭が繰り出されて根張り杭となる。その打ち込んた親杭内の枝杭装置に搦めて繋設Ｊ鉄筋（１３）を必要数装填し柔練コンクリートを插入しよく押し込んで固設する。
【発明の効果】
【０００６】旧来の繋設鉄筋の繋設体が親杭加工内に限られ、本発明の根張り杭は外部に張り出した枝杭との繋設により、耐重圧、難抜度に於いて抜郡の効果を得た。
【発明を実施するための形態】
【０００７】本発明の「根張り杭」は一般既在の杭と変わりなく使用できる杭で、殴打時に付帯するキャップを用いて、親杭を打ち込み後、丸太棒（鋼材丸太棒でも可）で親杭の中を殴打して、付帯する繋設Ｊ鉄筋で繋いで柔練コンクリートを流し込んで固設する。
【実施例】
【０００８】業務上使用しており、難抜度が高く、抜けにくい。
【図面の簡単な説明】
【０００９】
【図１】正面透視図、繋設鉄筋図
【符号の説明】
【００１０】（１）鋼材パイプ杭（親杭）
（２）親杭キャップ
（３）集束パイプ
（４）枝杭
（５）大輪座金
（６）ネジ切り鋼材棒
（７）ナット
（８）ビス
（９）枝杭嵌設穴
（１０）枝杭貫通穴
（１１）ワイヤーロープ
（１２）繋設Ｊ鉄筋
【図１】
2015101952.tif 000003
(57)【要約】【課題】  木製の枕木を使用した鉄道線路の構造では、左右レールを連結し、レール幅の基準値寸法を維持しているのは、主に枕木である。  枕木の耐用年数は、１５年〜２０年とされているが、１０年過ぎると老朽化が進行し、レール幅の拡大が顕著となり、それを象徴とする脱線事故が発生した。  現在、老朽化に補修作業が追い付かず、極めて危険な状況にある。  本発明は、剛性材で作製した、左右レール幅調節、連結、固定用具を提供する。【解決の手段】  左右レール底辺部外縁に、結合するレールホルダーに、ロングボルト貫通孔を設け、ロングボルトの先端に、レール幅調節ナットを設け、ロングボルトを貫通孔に通し、レール幅を調節ナットで締め、基準値寸法を調え、固定することを特徴とする、左右レール幅調節、連結、固定用具。【選択図】図１
2015101951.tif 000002
【特許請求の範囲】
【請求項１】
鉄道線路の左右レール底辺部外縁を挟む形の結合溝と、左右レールを連結するロングボルト貫通孔を設けたレールホルダーを、左右レールに結合し、そのホルダーのボルト貫通孔から、先端にレール幅調節ナットを設けたロングボルトを挿入し、左右レール幅調節ナットを締付け、左右レール幅を基準値の寸法に調節固定することを特徴とする左右レール幅、調節、連結、固定用具。
【発明の詳細な説明】
【技術分野】
【０００１】  本発明は、鉄道線路の左右レール幅拡大を原因とする列車脱線事故を防止する用具に関するものである。
【背景技術】
【０００２】  従来、日本国内で鉄道路線に使用されている枕木は、従前から使用されている木製の枕木と、近年、普及を始めたコンクリート製の枕木がある。
コンクリート製の枕木は、堅牢で耐用年数が長く、レール幅の基準値寸法が長期に渡り維持されるので、安全性の面から大きく普及している。
ところが、まだ半数にも及ぶ木製の枕木が使用されていて、その多くに老朽化が始まり、左右のレール幅が整備の基準値を越えるものが急速に増加し、危険な現状にある。
しかも、路線担当者の実測検査と補修作業が行き届かない状況にあり、それらを象徴としたレール幅の拡大を原因とする脱線事故が発生した。
現在の木製の枕木の補修方法は、犬くぎを外し、そこに込栓をして、再度犬くぎを打ち直し、レール幅を調えるだけであったため、短期間で、また、同じようにレール幅は拡大してしまう。
このような繰り返しが危険をまねく要因となっていた。
【発明の概要】
【発明が解決しようとする課題】
【０００３】  枕木を使用した鉄道路線の構造では、左右レールを連結しているのは枕木と犬くぎである。
しかし、犬くぎは枕木に守られ、レールを固定している訳で、したがってレール幅拡大を守っているのは唯一枕木であるといっても過言ではない。
防腐処理を施した枕木の耐用年数は、１５年、２０年とされているが、太陽に焼かれ、雨風にさらされ、１０年を過ぎる頃から急激に老朽化が始まり、犬くぎは緩み、レール幅の拡大が顕著になる。
これは、植物である枕木の宿命であり、それをカバーしいているのが、従前から引き継がれてきた定期検査と補修作業技術であるが、しかし、現在、枕木の一斉老朽化が始まり、それに加え様々な要因が重なり、保線員の人手不足からレール幅拡大が守られていない状況が続き、再度の列車脱線事故が危惧されている。
本発明は以上の問題点を解決するためになされたものである。
【課題を解決するための手段】
【０００４】  左右レールの底辺部外縁を挟むかたちで取り付けるレールホルダーを設ける。
そのレールホルダーにロングボルトをホルダーに挿入する貫通孔を設ける。
ロングボルトの先端に、左右レール幅調節ナットを設ける。
以上の構成によりなる左右レール幅調節、連結、固定用具。
【発明の効果】
【０００５】  従来、老朽化した木製枕木では、レール幅拡大の補修をしても、また、すぐ幅拡大がおこり、基準値寸法を長期に維持することは不可能であった。
本発明の左右レール幅調節、連結、固定用具は、剛性材を使用し、直接左右レールを連結するため、一度基準値寸法に固定すると、枕木の耐用年数を越えるほどの長い期間、レール幅の拡大は起こらない。
その効果は、様々な面で発揮されるが、何よりもレール幅拡大を原因とする列車脱線事故は長期に渡り防ぐことを可能とし、列車利用客の安全と尊い命は守られる。
また、現在、使用されている老朽化した枕木の寿命を延ばし、新設する枕木の耐用年数を著しく延ばすことを可能とする。
さらに、いままで頻繁に行っていた点検と補修作業の回数を大幅に減らして経費削減を可能とし、その資金をさらなる安全対策に使用できるという好環境が生まれる。
本発明は、極めてシンプル構造で、制作費、搬送費、設置費などは安価である。
また、作業中であっても、列車往来を可能とする構造である。
【図面の簡単な説明】
【０００６】
【図１】  本発明の全体図である。
【図２】  本発明の使用状態を示した上面図である。
【図３】  本発明の使用状態を示した側面図である。
【図４】  本発明の使用状態を示した側面図で、一部を断面にした側面図である。
【発明を実施するための形態】
【０００７】  以下、本発明の実施の形態を説明する。
（イ）左右レール底辺部外縁に結合する。
レールホルダー（１）に、ロングボルト孔（７）を設ける。
（ロ）ロングボルト（２）の先端に左右レール幅調節ナット（３）を設ける。
（ハ）レールホルダー（１）に、レール結合溝（８）を設ける。
（ニ）レール押え板（４）と、ロングボルト押え板（５）を設け、その両押え板に小ボル    ト孔（９）を複数設ける。
（ホ）小ボルト（６）を複数設ける。
本発明は以上のような構造である。
本発明を使用するときは、左右レール底辺部外縁にレールホルダー（１）のレール結合溝（８）をはめる。
レールホルダー（１）に設けたロングボルト孔（７）に、ロングボルト（２）を挿入し、左右レール幅調節ナット（３）を締付ける。
左右レール幅を定められた基準値寸法に調節し、左右レール幅調節ナット（３）によってしっかりと固定する。
左右レールの底辺部に取り付けられたロングボルト（２）と、レール底辺部内縁をレール押え板（４）と、ロングボルト押え板（５）に設けた、小ボルト孔（９）に、小ボルト（６）を通し、レールとロングボルト（２）を結合する。
【符号の説明】
【０００８】１  レールホルダー
２  ロングボルト
３  左右レール幅調節ナット
４  レール押え板
５  ロングボルト押え板
６  小ボルト
７  ロングボルト孔
８  レール結合溝
９  小ボルト孔
【図１】
2015101951.tif 000003
【図２】
2015101951.tif 000004
【図３】
2015101951.tif 000005
【図４】
2015101951.tif 000006
(57)【要約】【課題】  ７、８月の盛夏の中、Ｔシャツと下着を重ねたり、又は身体に密着したブラジャーをつけたりせず、平面のうず巻き状円形パッドをさらし状の当て布で固定することにより胸部乳房部分をしっかりカバー出来るＴシャツを提供する。【解決手段】    Ｔシャツの胸部乳房部分１に平面のうず巻き状のパッド２を設置し、さらし状の当て布３にて固定したバストカバー付きＴシャツを提供する。【選択図】      図１
2015101812.tif 000002
【特許請求の範囲】
【請求項１】
Ｔシャツの胸部乳房部分１に２枚の平面のうず巻き状のパッド２を設置し、さらし状の当て布３にて固定したバストカバー付きＴシャツ。
【発明の詳細な説明】
【技術分野】
【０００１】
この発明は胸部乳房部分にカップ状ではなく平面のうず巻き状円形パッドを、さらし状の当て布にて固定した、Ｔシャツに関するものである。
【背景技術】
【０００２】
従来のブラジャー付きＴシャツは“トップブラ”などに見られるカップ付きブラジャーを付けたものや、パッドのような堅く厚みのあるものだった。
【先行技術文献】
【特許文献】
【０００３】
【特許文献１】特開平１１―２４７０１１号公報
【特許文献２】特開２００１―１５９００３号公報
【発明の概要】
【発明が解決しようとする課題】
【０００４】
これは次のような欠点があった。
（イ）７、８月の盛夏において、重ね着は暑苦しく苦痛を伴うものだが、Ｔシャツだけの着用を望んでも下着やブラジャーなしでは、乳首の凸部分が出たり、周囲の黒ずみが浮いて見え恥ずかしい状態になってしまう。（ロ）高齢の婦人にとってブラジャーやパッドの様な胸部の隆起を意識した下着を着用することには抵抗があり、下降した乳房をカバーするのにはマッチせずしめつけ感や違和感があった。
本発明は、以上のような欠点をなくすためになされたものである。
【課題を解決するための手段】
【０００５】
Ｔシャツの胸部乳房部分１に２枚の平面のうず巻き状のパッド２を設置し、さらし状の当て布３にて固定する。
本発明は以上の構成よりなるバストカバー付きＴシャツである。
【発明の効果】
【０００６】
（イ）Ｔシャツとバストをカバーするうず巻き状円形パッドが平面的に一体となっているので、Ｔシャツ１枚でも自然に違和感なく乳房部分をカバーすることが出来る。（ロ）バスト曲線もうず巻き状円形パッドにすることで自然にカーブすることが出来る。
【図面の簡単な説明】
【０００７】
【図１】本発明の斜視図である。
【発明を実施するための形態】
【０００８】
以下、本発明を実施するための形態について説明する。
（１）２つの円形のうず巻き状円形パッドを１枚のさらし状の当て布に接着または縫付け，それを（２）Ｔシャツの裏側の胸部乳房部分全体に固定するよう設置する。
本発明は以上のような構造である。
これを使用するときは、Ｔシャツと胸部にあるうず巻き状円形パッド及び当て布が平面的かつ一体感を持つように着用する。
【符号の説明】
【０００９】
１  Ｔシャツ
２  うず巻き状円形パッド
３  当て布
【図１】
2015101812.tif 000003
(57)【要約】【課題】  ７、８月の盛夏の中、Ｔシャツと下着を重ねたり、又は身体に密着したブラジャーをつけたりせず、凹凸形状の当て布を取り付けることで部乳房部分をしっかりカバー出来るＴシャツを提供する。【解決手段】    Ｔシャツの胸部乳房部分１に凹凸形状の当て布２を取り付けたバストカバー付きＴシャツを提供する。【選択図】      図１
2015101811.tif 000002
【特許請求の範囲】
【請求項１】
Ｔシャツの胸部乳房部分１に凹凸形状の当て布２を取り付けたバストカバー付きＴシャツ。
【発明の詳細な説明】
【技術分野】
【０００１】
この発明は女性の乳首とその周辺の黒ずみをカバーする為に胸部乳房部分に凹凸形状の当て布を取り付けたＴシャツに関するものである。
【背景技術】
【０００２】
従来のブラジャー付きＴシャツは“トップブラ”などに見られるカップ付きブラジャーを付けたものや、パッドのような堅く厚みのあるものだった。
【先行技術文献】
【特許文献】
【０００３】
【特許文献１】特開平１１―２４７０１１号公報
【特許文献２】特開２００１―１５９００３号公報
【発明の概要】
【発明が解決しようとする課題】
【０００４】
これは次のような欠点があった。
（イ）７、８月の盛夏において、重ね着は暑苦しく苦痛を伴うものだが、Ｔシャツだけの着用を望んでも下着やブラジャーなしでは、乳首の凸部分が出たり、周囲の黒ずみが浮いて見え恥ずかしい状態になってしまう。（ロ）高齢の婦人にとってブラジャーやパッドの様な胸部の隆起を意識した下着を着用することには抵抗があり、下降した乳房をカバーするのにはマッチせずしめつけ感や違和感があった。
本発明は、以上のような欠点をなくすためになされたものである。
【課題を解決するための手段】
【０００５】
Ｔシャツの胸部乳房部分の上に１枚の凹凸形状の当て布（２）を設置する。
本発明は以上の構成よりなるバストカバー付きＴシャツである。
【発明の効果】
【０００６】
（イ）Ｔシャツとバストをカバーする凹凸形状の当て布が平面的に一体となっているのでＴシャツ１枚でも自然に乳房部分をカバーすることが出来る。（ロ）乳首と凹凸形状の当て布の間に空間があるため目立たず、身体に密着しない。
【図面の簡単な説明】
【０００７】
【図１】本発明の斜視図である。
【図２】本発明の断面図である。
【発明を実施するための形態】
【０００８】
以下、本発明を実施するための形態について説明する。
（１）乳頭部分と黒ずみ部分をカバー出来る凹凸形状の当て布をＴシャツの胸部乳房部分全体に接着または縫付けて固定する。
本発明は以上のような構造である。
これを使用するときは、Ｔシャツと胸部乳房部分の凹凸形状の当て布が平面的かつ一体感を持つように着用する。
【符号の説明】
【０００９】
１  Ｔシャツ
２  凹凸形状の当て布
【図１】
2015101811.tif 000003
【図２】
2015101811.tif 000004
(57)【要約】【課題】  本発明は、複合積層材料で構成された軽量で強度のある良質な画布用木枠を提供する。【解決手段】  軽量な材質の木材、金属、樹脂を、画布用木枠の内側に用い、外側に適度な硬さ、強度を有した材質の木材、樹脂等を複合積層させて、軽量で、強度のある良質な画布用木枠を完成する。【選択図】図７
2015101084.tif 000002
【特許請求の範囲】
【請求項１】
画布用木枠の一部に軽量（軟らかい）な材質の桐等の木材を体積比５０％から９５％を用い、一部に適度な硬さ（普通の硬さ）の材質の杉、桧、米杉等の体積比５％から５０％の木材を用いた複合積層材からなり、適度な硬さ（普通の硬さ）の材質の木材が外側を構成する軽量な画布用木枠。
【請求項２】
画布用木枠の一部、体積比５０％から９５％の桐等の軽量（軟らかい）な材質の木材、アルミ等の軽量な金属、発泡材等の樹脂を内側に用い、一部、体積比５％から５０％の適度な硬さ（普通の硬さ）の材質の木材（杉、桧、米杉等）、樹脂（発泡材等）を用いた複合積層材からなり、適度な硬さ（普通の硬さ）の材質が外側を構成する、軽量な画布用木枠。
【発明の詳細な説明】
【技術分野】
【０００１】  本発明は、複合積層材料で構成された軽量で良質な画布用木枠に関するものである。
【背景技術】
【０００２】  従来、桐、杉、米杉、ファルカタ等  単体、或は、単体集成材で作られた多種多様な画布用木枠が開発、製造、販売されている。【０００３】  しかし、画布用木枠には画布の固定の為に、釘、タッカーが使用されている。桐は、安価で軽量であるが、軟らかく、釘等の効きが甘くなる可能性があり、画布を強く張ることにより、画布と接する木枠の角が辺たる（凹む）可能性がある。杉は、普通の硬さであるが重たい、米杉は、高価であるが重さ、硬さは杉と桐の間に属し、ファルカタは価格、重量、硬さが桐と杉の間に属する。軽量で、安価で、釘止め効果があり、画布と接する木枠の角が辺たらない（凹まない）複合積層材からなる画布用木枠はない。
【非特許文献１】  （財）日本木材総合情報センター「木ｎｅｔ」「木材情報」
【非特許文献１】  木材博物館  （比重）（硬さ）
【非特許文献１】  農林水産省木材価格統計調査
【発明の開示】
【発明が解決使用とする課題】
【０００４】  本発明が解決しようとする課題は、軽量な材質の木材、金属、樹脂と適度な硬さ、強度を有した材質の木材、樹脂等を複合積層させ軽量で、強度のある画布用木枠を提供する目的である。
【課題を解決する為の手段】
【０００５】  本発明は  軽量な材質の木材、金属、樹脂を、画布用木枠の内側に用い、外側にと適度な硬さ、強度を有した材質の木材、樹脂等を複合積層させて軽量で、強度のある画布用木枠ができる。
【発明の効果】
【０００６】  本発明の軽量な材質の木材、金属、樹脂を、画布用木枠の内側に用い、外側にと適度な硬さ、強度を有した材質の木材、樹脂等を複合積層させて軽量で、強度のある良質な画布用木枠である。
【発明を実施するための最良の形態】
【０００７】  本発明者は鋭意検討した結果、下記発明に到達した。すなわち、軽量な桐材等を容積比６０％から７５％使用し、普通の硬さで強度のある杉材等を２５％から４０％を使用して複合積層材を作成し、作成された複合積層材を画布用木枠の硬く強度を有する面を外側に使用する事により、軽量で、強度のある画布用木枠を作ることが可能となった。
【実施例１】
【０００８】  図は、本発明の複合積層材料で構成された軽量で良質な画布用木枠用の複合積層板と画布用木枠の代表例として用意した。
図１は桐板１５ｍｍ厚２枚と杉板１５ｍｍ１枚を張り合わせてた複合積層板を用意した。
図２は桐板１５ｍｍ厚３枚と杉板１５ｍｍ１枚を張り合わせてた複合積層板を用意した。
図３は桐板１５ｍｍ厚１枚を中に杉板１５ｍｍ２枚を張り合わせてた複合積層板を用意した。
図４は図２の桐板１５ｍｍ厚３枚と杉板１５ｍｍ１枚を張り合わせてた複合積層板からなる、画布用木枠用棹を用意した。
図５は図１の桐板１５ｍｍ厚２枚と杉板１５ｍｍ１枚を張り合わせてた複合積層板からなる、画布用木枠を用意した。
図６は図２の桐板１５ｍｍ厚３枚と杉板１５ｍｍ１枚を張り合わせてた複合積層板からなる、画布用木枠を用意した。
図５と図６の画布用木枠に画布を、釘を使用してかなり強めに張りつけたが、釘の効果もあり、木枠の角に画布面の引張りによる凹み防止の効果もある。【０００９】  図７は図２の桐板１５ｍｍ厚３枚と杉板１５ｍｍ１枚を張り合わせてた複合積層板の外枠からなり、図３の桐板１５ｍｍ厚１枚を中に杉板１５ｍｍ２枚を張り合わせてた複合積層板の中桟からなる画布用木枠を用意した。図６の画布用木枠の中桟は桐材からなっているが、図７は図２の複合積層板を中桟に用いることにより、画布用木枠の張り強度に対する曲がり防止に効果がある。
【産業上の利用可能性】
【００１０】  本発明は、の軽量な材質の木材、金属、樹脂を、画布用木枠の内側に用い、外側にと適度な硬さ、強度を有した材質の木材、樹脂等を複合積層させて軽量で、強度のある良質な画布用木枠として利用できる。
【図面の簡単な説明】
【００１１】
【図１】本発明の実施例の杉板と桐板の張り合わせた複合積層材の模式図
【図２】本発明の実施例の杉板と桐板の張り合わせた複合積層材の模式図
【図３】本発明の実施例の杉板と桐板の張り合わせた複合積層材の模式図
【図４】本発明の実施例の杉板と桐板の張り合わせた複合積層材を木枠用に裁断した木枠の断面模式図
【図５】本発明の実施例の複合積層材料で構成された軽量で良質な画布用木枠の模式図
【図６】本発明の実施例の複合積層材料で構成された軽量で良質な画布用木枠の模式図
【図７】本発明の実施例の複合積層材料で構成された軽量で良質な画布用木枠の模式図
【符号の説明】
【００１２】  １  杉板と桐板の張り合わせした複合積層材の桐板
２  杉板と桐板の張り合わせした複合積層材の杉板
【図１】
2015101084.tif 000003
【図２】
2015101084.tif 000004
【図３】
2015101084.tif 000005
【図４】
2015101084.tif 000006
【図５】
2015101084.tif 000007
【図６】
2015101084.tif 000008
【図７】
2015101084.tif 000009
(57)【要約】  【課題】踏み段チェーンの切断が発生した場合でも踏み段の下降を防ぐことができる非常制動装置を備えた乗客コンベアを提供する。  【解決手段】複数の踏み段７と、複数の踏み段７を無端状に連結して循環移動させる踏み段チェーン２とを有する乗客コンベアにおいて、踏み段チェーン２と係合し、踏み段７の上昇方向への移動を可能とするとともに下降方向への移動を阻止する非常制動装置１を有する。【選択図】  図１
2015101443.tif 000002
【特許請求の範囲】
【請求項１】
複数の踏み段と、前記複数の踏み段を無端状に連結して循環移動させる踏み段チェーンとを有する乗客コンベアにおいて、
前記踏み段チェーンと係合し、前記踏み段の上昇方向への移動を可能とするとともに下降方向への移動を阻止する非常制動装置を有することを特徴とする乗客コンベア。
【請求項２】
前記非常制動装置は、ラチェット機構を有することを特徴とする請求項１に記載の乗客コンベア。
【請求項３】
前記非常制動装置は、前記踏み段の往路側の複数の箇所に配置されていることを特徴とする請求項１または２に記載の乗客コンベア。
【発明の詳細な説明】
【技術分野】
【０００１】
本発明は、乗客コンベアに関し、特に非常制動装置を備えた乗客コンベアに関する。
【背景技術】
【０００２】
乗客コンベアの非常制動装置としては、例えば特許文献１のように、駆動装置から踏み段反転装置（駆動スプロケット）に動力を伝達する駆動チェーンの切断を検出すると、制動子が回転して踏み段反転装置と係合して踏み段反転装置の逆転（踏み段の下降運転）を防止するものが知られている。
【先行技術文献】
【特許文献】
【０００３】
【特許文献１】特開平１−１２２８９３号公報（第５図）
【発明の概要】
【発明が解決しようとする課題】
【０００４】
しかしながら、特許文献１に記載の乗客コンベアでは、駆動チェーンの切断を検出して踏み段反転装置に制動子を係合させるため、踏み段を無端状に連結する踏み段チェーンが切断した場合には踏み段の下降を防ぐことはできないという問題があった。
【０００５】
本発明の目的は、踏み段チェーンの切断が発生した場合でも踏み段の下降を防ぐことができる非常制動装置を備えた乗客コンベアを提供することである。
【課題を解決するための手段】
【０００６】
この課題を解決するために、本発明の乗客コンベアは、例えば、複数の踏み段と、前記複数の踏み段を無端状に連結して循環移動させる踏み段チェーンとを有する乗客コンベアにおいて、前記踏み段チェーンと係合し、前記踏み段の上昇方向への移動を可能とするとともに下降方向への移動を阻止する非常制動装置を有する。
【発明の効果】
【０００７】
本発明によれば、踏み段チェーンの切断が発生した場合でも踏み段の下降を防ぐことができる。
【図面の簡単な説明】
【０００８】
【図１】本発明が適用される乗客コンベアの一例を示す側面図。
【図２】図１の非常制動装置の一例を示す側面図。
【発明を実施するための形態】
【０００９】
本発明の実施例を、図面を参照しながら説明する。尚、各図において、同一又は類似の構成要素には同じ符号を付し、説明を省略する。
【００１０】
図１は、本発明が適用される乗客コンベアの一例を示す側面図である。図２は、図１の非常制動装置の一例を示す側面図である。
【００１１】
図１に示すように、乗客コンベアは、図示しない建築構造物の上階と下階との間に架け渡される枠体６と、複数の踏み段７と、複数の踏み段７を無端状に連結して循環移動させる踏み段チェーン２と、踏み段チェーン２が巻き掛けられ踏み段７の移動方向を反転させる一対の踏み段反転装置３（３ａ、３ｂ）と、駆動装置５と、一対の踏み段反転装置３（３ａ、３ｂ）のうち一方の踏み段反転装置３ｂに駆動装置５から動力を伝達する駆動チェーン４とを有する。尚、図１では複数の踏み段７のうちの１つのみを図示している。駆動装置５から動力が伝達される駆動チェーン４が巻き掛けられた踏み段反転装置３ｂは、駆動スプロケットとも呼ばれる。また、駆動装置５から動力が伝達されない側の踏み段反転装置３ａは、従動スプロケットとも呼ばれる。
【００１２】
さらに、本実施例の乗客コンベアは、踏み段チェーン２と係合し、踏み段７の上昇方向への移動を可能とするとともに下降方向への移動を阻止する非常制動装置１（１ａ、１ｂ、１ｃ）を、踏み段チェーン２と噛み合う位置に備えている。
【００１３】
非常制動装置１としては、例えば図２に示すように、回転軸１１とともに回転する係合子１０に制動子９が係合することで順方向には回転可能で逆方向には回転が阻止されるラチェット機構を有しており、同じく非常制動装置１に設けられ回転軸１１とともに回転するチェーン係合部８が踏み段チェーン２と噛み合うように係合することで、踏み段７の上昇方向への移動を可能とするとともに下降方向への移動を阻止する。尚、非常制動装置１の構造は、図２に示したものに限定されるものではない。
【００１４】
非常制動装置１は、例えば踏み段チェーン２の移動軌跡の下方に、少なくとも１つ設置する。尚、非常制動装置１は、踏み段チェーン２の移動軌跡の上方もしくは上下両方に配置してもよい。
【００１５】
また、非常制動装置１の配置は、踏み段チェーン２や踏み段７から掛かる荷重を考慮し、乗客コンベアの傾斜部に複数個設置することが望ましい。たとえば、枠体６の傾斜部に、踏み段７の１枚間隔毎の位置に非常制動装置１を配置する。
【００１６】
非常制動装置１は、踏み段７の帰路側に設けても良いが、踏み段チェーン２が往路側で切断される場合を考慮すると、図１に示すように踏み段７の往路側に設けることが望ましい。さらに、踏み段チェーン２がどこで切断されても対応できるように、非常制動装置１を複数の箇所に設けることが望ましい。
【００１７】
本実施例によれば、乗客コンベアにおいて、上昇方向に運転中、平常時は非常制動装置１が踏み段７の移動を阻害することなく、乗客コンベアは利用可能となる。そして、踏み段チェーン２が切断されると、踏み段７は踏み段７の重量及び踏み段７上の乗客の重量により下降移動しようとする。しかし、非常制動装置１により、踏み段チェーン２及び踏み段チェーン２に接続された踏み段７は下降方向への移動は阻止されるため、踏み段７の反転下降を防ぎ利用者の転倒を防ぐことができる。
【００１８】
尚、乗客コンベアの保全作業時や、運転方向を切り替えた場合などにおいて、下降方向への運転を可能とするために、ラチェット機構の回転方向を切り替える機構か、ラチェットの機能を無効にする機構を備えるようにしてもよい。
【００１９】
以上、本発明の実施例を説明してきたが、これまでの実施例で説明した構成はあくまで一例であり、本発明は、技術思想を逸脱しない範囲内で適宜変更が可能である。
【符号の説明】
【００２０】
１…非常制動装置
２…踏み段チェーン
３…踏み段反転装置
４…駆動チェーン
５…駆動装置
６…枠体
７…踏み段
８…チェーン係合部
９…制動子
１０…係合子
１１…回転軸
【図１】
2015101443.tif 000003
【図２】
2015101443.tif 000004
(57)【要約】【課題】  本発明は、乾いたティッシュ（ドライティッシュ）と濡れたティッシュ（ウェットティッシュ）を一緒に携帯するもので、背中合わせに周りに三方を閉じて貼り合わせ、使用済みのティッシュを捨てて始末するために、ポケットを設けたごみ入れ付き携帯用ティッシュケースを提供する。【解決手段】    封筒型のケースＡ（２）とケースＢ（３）の間のポケットに、防水の布で作った袋のゴミ入れ（４）を設け、背中合わせにし、周りの三方を閉じて貼り付け、ケース本体（１）をビニール等の防水のもので作った場合は、ポケットのままで、ゴミ入れに利用し、ケースＡ（２）の正面にフタ（５）を設け、一方に出入口（６）を設けたことを特徴とするごみ入れ付き携帯用ティッシュケース。【選択図】図１
2015101409.tif 000002
【特許請求の範囲】
封筒型のケースＡ（２）とケースＢ（３）の間のポケットに、防水の布で作った袋のゴミ入れ（４）を設け、背中合わせにし、周りの三方を閉じて貼り付け、ケース本体（１）をビニール等の防水のもので作った場合は、ポケットのままで、ゴミ入れに利用し、ケースＡ（２）の正面にフタ（５）を設け、一方に出入口（６）を設けたことを特徴とするごみ入れ付き携帯用ティッシュケース。
【発明の詳細な説明】
【技術分野】
【０００１】  本発明は、乾いたティッシュ（ドライティッシュ）と濡れたティッシュ（ウェットティッシュ）を一緒に携帯するもので、背中合わせに周りに三方を閉じて貼り合わせ、使用済みのティッシュを捨てて始末するために、ポケットを設けたごみ入れ付き携帯用ティッシュケースに関するものである。
【背景技術】
【０００２】  従来、外出先でも、常に身の回りを清潔に保ちたいという思いから、ティッシュを携帯しているにもかかわらず、ごみを捨てる場所がないために、身の回りの汚れを拭き取り、不衛生となった使用済みのティッシュなどを捨てることができなかった。
そこで、使用済みのウェットティッシュなどを入れるためのごみ袋やケースが、一体となったごみ入れ付き携帯用ウェットティッシュが提案されている。（特許文献１参照）
用済みティッシュペーパーを収納する場合には、充分に収納できるとともに、かさ張ることもなく携帯に便利で衛生的に使用できる収納部付きポケットティシュケースが提案されている。（特許文献２参照）
【先行技術文献】
【特許文献】
【０００３】
【特許文献１】  特開２０１１−１１２２号公報。
【特許文献２】  特開２００８−２２２２６２号公報。
【発明の概要】
【発明が解決しようとする課題】
【０００４】  従来より、次の様な問題点があった
（イ）乾いたティッシュの使用済みを入れるケースはいろいろあるのに、より必要と思われるウェットティッシュの物は無かった。
（ロ）そして、意外とドライとウェットティッシュシュ両方が必要な時が多いので、一緒のケースで携帯する物があると便利だと考ええた。
（ハ）従来、濡れた物を持ち帰る為にポリ袋等を用意しなければいけなかった。
【課題を解決するための手段】
【０００５】  封筒型のケースＡ（２）とケースＢ（３）の間のポケットに、防水の布で作った袋のゴミ入れ（４）を設け、背中合わせにし、周りの三方を閉じて貼り付け、ケース本体（１）をビニール等の防水のもので作った場合は、ポケットのままで、ゴミ入れに利用し、ケースＡ（２）の正面にフタ（５）を設け、一方に出入口（６）を設けたことを特徴とするごみ入れ付き携帯用ティッシュケース。
【発明の効果】
【０００６】  従来は、ウェットティッシュを使用したあと、外出先で捨てるのに困り、何重にもドライのティッシュで包み持ち帰るが、それでもポケットやバッグの中で周りがジンワリ湿ってしまい気持ちが悪かったが、この発明品により、それが解消し、幼児の口回り、オムツ替えの清拭も気軽にできる。
【図面の簡単な説明】
【０００７】
【図１】  本発明の斜視図である。
【図２】  本発明の分解図である。
【図３】  本発明の使用状態を示した説明図である。
【発明を実施するための形態】
【０００８】  以下、本発明の実施の形態を説明する。
（イ）封筒型のケースＡ（２）とケースＢ（３）の間のポケットに、防水の布で作った袋のゴミ入れ（４）を設け、背中合わせにし、周りの三方を閉じて貼り付ける。
（ロ）ケース本体（１）をビニール等の防水のもので作った場合は、ポケットのままで、ゴミ入れに利用する。
（ハ）ケースＡ（２）の正面にフタ（５）を設け、一方に出入口（６）を設ける。
本発明は以上のような構成である。
本発明を使用するときは、封筒型のフタ（５）からティッシュ（７）を出し入れする。
または、ケース本体（１）の出入口（６）からティッシュ（７）を出し入れしてもよい。
ドライとウェットティッシュの両方のティッシュを背中合わせに入れるケースを、それぞれ作り、周りの三方を閉じて貼り合わせ、間に出来たポケット内に防水布で作った袋を入れて、使用済みのティッシュを捨てれば、簡単に始末できる。
ケース本体（１）を、ビニールのような防水のもので作った場合は、別に防水用の袋は必要ない。
【符号の説明】
【０００９】    １  ケース本体
２  ケースＡ
３  ケースＢ
４  ゴミ入れ
５  フタ
６  出入口
７  ティッシュ
【図１】
2015101409.tif 000003
【図２】
2015101409.tif 000004
【図３】
2015101409.tif 000005
(57)【要約】【課題】充電体に充電された電荷で発電することを目的としている。【解決手段】リニア電磁ソレノイドで圧電素子を駆動し、該圧電素子の出力で発電機を回転させるようにした。【選択図】  図１
2015171268.tif 000002
【特許請求の範囲】
【請求項１】
充電体に電荷を充電させておき、この充電体の電荷を変圧器で電気信号に変換した後、リニア電磁ソレノイドに供給し、制御手段でこのリニア電磁ソレノイドに供給する電気信号のデューテイ比を制御して圧電素子を駆動し、該圧電素子の出力で発電手段を駆動するようにしたことを特徴とする発電方法。
【請求項２】
前記リニア電磁ソレノイドの出力電圧で発電手段を制御するに際し、前記圧電素子の出力をそのまま発電手段に与えるか、ダイオードで直流に整流した後、発電手段に与えるか、ダイオードで直流に整流した後、発電手段に与えるかを選択できるようにしたことを特徴とする請求項１記載の発電方法。
【発明の詳細な説明】
【技術分野】
【０００１】
本発明は、充電体に電荷を充電させておき、この充電体の電荷を変圧器で電気信号に変換した後リニア電磁ソレノイドに供給し、このリニア電磁ソレノイドで駆動される圧電素子の出力で発電手段を駆動するようにした発電方法に関する。
【背景技術】
【０００２】
従来、発電する場合は、水の圧力（水圧）を利用して水車を回転させて発電したり、あるいは水を熱して高温の蒸気を発生させタービンを回転させて火力発電する方法が採用されている。その一方で、最近はエコエネルギーが注目されるようになってきており、風車発電やソーラー発電も注目されるようになってきている。
【発明の概要】
【発明が解決しようとする課題】
【０００３】
従来の電力発生方法は、外部からの自然エネルギーを利用して行うものであった。従って、自然エネルギーが枯渇してしまうと発電することができなかった。
本発明はこのような課題に鑑みてなされたものであって、自然のエネルギーを利用することなく、半永久的に発電することができる発電方法を提供することを目的としている。
【課題を解決するための手段】
【０００４】
前記した課題を解決するために、本発明は、充電体に電荷を充電させておき、この充電体の電荷を変圧器で電気信号に変換した後、リニア電磁ソレノイドに供給し、制御手段でこのリニア電磁ソレノイドに供給する電気信号のデューテイ比を制御して圧電素子を駆動し、該圧電素子の出力で発電手段を駆動するようにしたことを特徴とする。
【発明の効果】
【０００５】
本発明によれば、自然のエネルギーを利用することなく、半永久的に発電することができる。
【図面の簡単な説明】
【０００６】
【図１】本発明の一実施例を示す構成図である。
【発明を実施するための形態】
【０００７】
以下、図面を参照して本発明を詳細に説明する。図１は本発明の一実施例を示す構成図である。図１において、１は電荷をチャージする充電体である。該充電体としては、誘電体やコンデンサ等が用いられる。２は鉄板であり、その先端は尖り、電荷密度を高くすることができるようになっている。
【０００８】
ＳＷ１は鉄板にチャージされた電荷のうち、特に先端の尖った部分に充電されている電荷を充電体１にオンオフ転送するスイッチである。充電体１は時間の経過と共に充電されていた電荷が減少するので、スイッチＳＷ１を所定の時間幅だけオフにして電荷をチャージする。４は充電体１からの電荷を受けるエレクレットで、充電体１からの電荷を受けると、電荷に応じた電流を発生する。
【０００９】
このエレクレット４の出力は、第１のトランス３の１次巻線Ｎ２に入る。この第１の１次巻線Ｎ２の電圧は２次巻線Ｎ１に巻数比Ｎ１／Ｎ２に応じた電圧を発生する。この第１のトランス３の出力は、第２のトランス５に入力される。第２のトランス５の１次巻線はＮ３、２次巻線はＮ４である。第２のトランス５の１次巻線Ｎ３と前記鉄板２の先端部には抵抗Ｒが接続されているが、この抵抗Ｒは鉄板２の充電電荷の量を最適に維持するためのものである。
【００１０】
第１のトランス３の２次電圧は、第２のトランス５の１次巻線Ｎ３に入力される。この入力された１次電圧は電圧変換されて２次電圧として２次巻線Ｎ４側に発生する。この発生した２次電圧はリニア電磁ソレノイド７に与えられる。６はマイコンであり、第２のトランス５の出力をスイッチＳＷ２を介してリニア電磁ソレノイド７に与える電圧信号のデューテイ比を変化させるものである。デューテイ比が高くなると圧電素子８の出力が大きくなり、デューテイ比が低くなると、圧電素子８の出力は小さくなる。
【００１１】
このリニア電磁ソレノイド７は入力の大きさに応じて、その先端部が左右に移動する。このリニア電磁ソレノイド７は、鉄心７ｂと巻線コイル７ａとから構成されている。１０は鉄心７に取り付けられたバネであり、鉄心７に付勢力を与えるようになっている。
【００１２】
リニア電磁ソレノイド７がトランス５から駆動されると、リニア電磁ソレノイド７が移動し、圧電素子８に力を印加する。この結果、圧電素子８は受けた力に応じた電圧を発生させる。発生された電圧が交流の場合、スイッチＳＷ３をオフにしてダイオードＤで整流して直流に変換した後、発電機９を駆動する。発電機９が交流発電機である場合には、スイッチＳＷ３をオンにして圧電素子８の出力をそのまま発電機９に印加する。
【００１３】
以上、説明したように、本発明によれば、自然エネルギーを利用することなく、半永久的に発電することができるので、実用上の効果が大きい。
【符号の説明】
【００１４】
１    充電体
２    鉄板
３    変圧器
４    エレクレット
５    変圧器
６    マイコン
７    リニア電磁ソレノイド
７ａ  巻線
７ｂ  鉄心
８    圧電素子
９    発電機
１０  バネ
ＳＷ１〜ＳＷ３  スイッチ
Ｒ  抵抗
Ｄ  ダイオード
Ｎ１〜Ｎ４  コイル巻線
【図１】
2015171268.tif 000003
(57)【要約】      （修正有）【課題】湿気、水気が除去できる、リモコン、携帯、スマートフォーン等を置く台を提供する。【解決手段】台１の前面に前面開口側面壁斜面溝２を設け、前記前面開口側面壁斜面溝２は、リモコン、携帯、スマートフォーン等の湿気、水気を斜面から外に放出し、部屋の風を上昇気流に変化させ、上昇気流が斜面溝をかけのぼり、斜面溝の上に置いてある、リモコン、携帯、スマートフォーン等の除湿、乾燥を促進させ、故障の原因となる湿気、水気を除去する。【選択図】図１
2015171138.tif 000002
【特許請求の範囲】
【請求項１】
台の下に前面開口側面壁斜面溝を有する物を置く台
【発明の詳細な説明】
【技術分野】
【０００１】  この発明は、前面開口両側面壁斜面溝によって、台の上にのっている物体を徐湿乾燥し、故障の原因やさびを防止する発明である。
【技術分野】
【０００２】  従来、スプーンやリモコン、携帯電話、スマートフォーン等は平な処に置くか、立てて置くかであった。
携帯電話、リモコン、スマートフォーン等は水に弱い、それと湿気にも弱い、湿気が原因で良く故障する。スプーンはさびる。
【発明の開示、発明が解決しようとする課題】
【０００３】携帯電話、リモコン、スマートフォーン等を水や湿気から守るのはたいへんである。人間の手は汗がある。
近くには飲み物もある。常に水や湿気の危険がある。本発明は以上のような欠点をなくすためのものである。
【課題を解決するための手段】
【０００４】リモコン、携帯電話、スマートフォーン等は水や湿気に弱い、テーブルや机の上に置くと、飲み物や湯のみを倒したり、机や、テーブルがぬれていたり、水の恐怖にさらされる。そのため、台に置くと、水の恐怖から、除去される。
又、人の手は汗があり、手で握っているだけで湿気が、リモコン、携帯、スマートフォーンの故障を促進する。そのため、その湿気を常に除湿乾燥する必要がある。そのため台に、前面開口側面壁斜面溝を考案した。
人間が活動しているところには風がある。
風が台の開口部に当たると、風は側面の壁と前面の斜面によって、圧縮され、上昇気流となり、斜面溝の上に置かれた、リモコン、携帯等の除湿乾燥を促進させ、湿気による故障を少なくする。
【発明の効果】
【０００５】  スマートフォーン、携帯、リモコン等を簡単に置いて、茶こぼし、水ぬれから防止できる。
台の上に置いただけで、除湿、乾燥ができるので故障が少なくなる。
台の上なので、良く見えて、リモコン等のありかがすぐ解る。
【発明を実施するための最良の形態】
【０００６】  以下、本発明の実施例について説明する
リモコン、携帯、スマホ等を置く台を設ける（１）
リモコン、携帯、スマホ等の除湿、乾燥を促進するため、本発明の前面開口側面壁斜面溝（２）を設ける。この斜面溝によって、風が前面開口部より、は入り、側面壁によって、圧縮され、斜面によって、上昇気流に変化し、その上にある物体、置いた物体の除湿、乾燥を促進する。
【図面の簡単な説明】
【０００７】
【図１】本発明の斜視図
【図２】本発明の平面図
【図３】本発明の正面図
【符合の名称】
〔１〕台  〔２〕前面開口側面壁斜面溝、▲３▼開口
〔４〕側面壁  〔５〕斜面
【図１】
2015171138.tif 000003
【図２】
2015171138.tif 000004
【図３】
2015171138.tif 000005